(57)【特許請求の範囲】
【請求項１】
軸筒の後端部に突出し、ノック操作により筆記体を軸筒の前端部側より繰り出すノック操作部と、前記ノック操作部と一部品で構成され、軸筒の側面より突出して前記ノック操作部と共に軸方向に移動可能な突起部とが具備され、
前記突起部が前記ノック操作部の後端部よりも軸方向の前端部側に位置するように、前記突起部が連結頸部を介して前記ノック操作部に一体に形成されると共に、前記突起部は前記連結頸部を中央にしてその両側が厚みを増して、円筒状の前記軸筒との間でほぼ均等な隙間が形成されていることを特徴とするノック式筆記具。
【請求項２】
前記ノック操作部と前記突起部との間の連結頸部における幅は、前記ノック操作部および突起部の幅よりも小さく設定され、軸筒の後端部から前方に向かって直線状に形成された切欠き溝内を前記連結頸部が移動可能となるように配置されていることを特徴とする請求項１に記載されたノック式筆記具。
【請求項３】
前記軸筒に施された切欠き溝内に位置する前記連結頸部には、前記切欠き溝に対峙する両側の位置に、切欠き溝の対向する内側面にそれぞれ向かって突出する突出体が形成され、前記切欠き溝の各内側面には、前記連結頸部に形成された突出体のみが接触するように構成されていることを特徴とする請求項２に記載されたノック式筆記具。
【請求項４】
前記連結頸部に形成された各突出体は、それぞれ軸方向に長く突出形成されていることを特徴とする請求項３に記載されたノック式筆記具。
【請求項５】
軸筒の後端部に突出する前記ノック操作部は、ノック操作を伝達するノック棒に対して軸方向に着脱可能に取り付けられたノックカバーであることを特徴とする請求項１ないし請求項４のいずれか１項に記載されたノック式筆記具。
【請求項６】
前記突起部には、外向きの面の中央部に形成された凹部に、前記突起部とは別部品の飾り部材が取り付けられていることを特徴とする請求項１ないし請求項５のいずれか１項に記載されたノック式筆記具。
【請求項７】
前記突起部は、平面視で円盤状に形成されていることを特徴とする請求項１ないし請求項６のいずれか１項に記載されたノック式筆記具。
【発明の詳細な説明】
【技術分野】
【０００１】
この発明は、ノック操作により軸筒の先端側から例えば筆記芯（替え芯）を繰り出すことができるシャープペンシルなどに好適に採用し得るノック式筆記具に関する。
【背景技術】
【０００２】
前記したシャープペンシルは、軸筒の後端部側に突出したノック操作部をノック操作することで、このノック操作が例えば芯ケースを介してチャックを含む筆記芯の繰り出し機構に伝達され、軸筒の先端側から筆記芯が順次繰り出されるように作用する。
したがって、この種のノック式シャープペンシルによると、繰り出された芯が筆記動作によりある程度まで摩耗すると、再度ノック操作を行い芯の繰り出し操作を行うことになる。
【０００３】
このノック操作により筆記芯の繰り出し動作を行う場合には、筆記状態から軸筒を持ち直して、軸筒の後端部に突出したノック操作部を親指などによりノック操作をする必要があり、筆記中においてノック操作に煩わしさを感ずることがある。
そこで、軸筒の側面にノック操作部が突出するようにして配置し、この側面のノック操作部をノック操作することで、筆記芯を繰り出すことができるサイドノック式のシャープペンシルが、特許文献１および２などに提案されている。
【０００４】
このサイドノック式のシャープペンシルによると、筆記状態における軸筒の握りの姿勢を大きく変えることなくノック操作部のノック動作が可能となる。
しかしながら、サイドノック式のシャープペンシルによると、長手方向に直交する方向になされるノック操作を、芯ケースが前進する動作に変換するためのカム機構などを別に備える必要が生じ、このための部品や組み立て工数の増加を招き、またカム機構などを備えるために軸筒の外径をある程度以上に増大させなければならないという問題も抱えることになる。
【先行技術文献】
【特許文献】
【０００５】
【特許文献１】特開平９−２０７４９１号公報
【特許文献２】特開平１１−２５４８８１号公報
【発明の概要】
【発明が解決しようとする課題】
【０００６】
この発明は、サイドノック式のシャープペンシルが抱える前記した問題点を解消することができると共に、例えば筆記芯の繰り出し動作のためにノック操作を行う場合に、筆記状態における軸筒の握りの姿勢を大きく変えることなくノック操作を行うことが可能なノック式筆記具を提供することを課題とするものである。
【課題を解決するための手段】
【０００７】
前記した課題を解決するためになされたこの発明にかかるノック式筆記具は、軸筒の後端部に突出し、ノック操作により筆記体を軸筒の前端部側より繰り出すノック操作部と、前記ノック操作部と一部品で構成され、軸筒の側面より突出して前記ノック操作部と共に軸方向に移動可能な突起部とが具備され、前記突起部が前記ノック操作部の後端部よりも軸方向の前端部側に位置するように、前記突起部が連結頸部を介して前記ノック操作部に一体に形成されると共に、前記突起部は前記連結頸部を中央にしてその両側が厚みを増して、円筒状の前記軸筒との間でほぼ均等な隙間が形成されていることを特徴とする。
【０００８】
この場合、好ましい形態においては、前記ノック操作部と前記突起部との間の連結頸部における幅は、前記ノック操作部および突起部の幅よりも小さく設定され、軸筒の後端部から前方に向かって直線状に形成された切欠き溝内を前記連結頸部が移動可能となるように配置される。
【０００９】
加えて、前記軸筒に施された切欠き溝内に位置する前記連結頸部には、前記切欠き溝に対峙する両側の位置に、切欠き溝の対向する内側面にそれぞれ向かって突出する突出体が形成され、前記切欠き溝の各内側面には、前記連結頸部に形成された突出体のみが接触するように構成されていることが望ましい。
この場合、より望ましくは、前記連結頸部に形成された各突出体は、それぞれ軸方向に長く突出形成された構成が採用される。
【００１０】
そして、軸筒の後端部に突出する前記ノック操作部としては、ノック操作を伝達するノック棒に対して軸方向に着脱可能に取り付けられたノックカバーにより構成することができる。
加えて、望ましくは前記突起部には、外向きの面の中央部に形成された凹部に、前記突起部とは別部品の飾り部材が取り付けられる。さらに一つの好ましい形態においては、前記突起部は平面視で円盤状に形成される。
【発明の効果】
【００１１】
前記したこの発明にかかるノック式筆記具によると、軸筒の後端部に突出するノック操作部と軸筒の側面より突出して前記ノック操作部と共に軸方向に移動可能な突起部とが一部品で構成されると共に、前記突起部が前記ノック操作部の後端部よりも軸方向の前端部側に位置した構成にされているので、これを例えばシャープペンシルに採用した場合には、筆記状態における軸筒の握りの姿勢を大きく変えることなく前記突起部を親指等でノック操作することが可能であり、これにより筆記体としての芯を繰り出すことができる。
【００１２】
また、軸筒の後端部から前方に向かって直線状に形成された切欠き溝内を、前記ノック操作部と前記突起部とを連結する連結頸部が移動可能となるように配置され、前記切欠き溝の対向する内側面には、前記連結頸部に形成された突出体のみが接触するように構成することで、ノック操作によって前記突起部の一部が軸筒に接触するのを効果的に防止することができる。
これにより、前記軸筒や突起部に施した塗装や転写等による表装に損傷を与えるのを防止することができ、筆記具の外観を保護することに寄与できる。
【図面の簡単な説明】
【００１３】
【図１】この発明に係るノック式筆記具についてシャープペンシルに採用した例を示す斜視図である。
【図２】図１に示すシャープペンシルの前半部を示した断面図である。
【図３】同じく後半部を示した断面図である。
【図４】突起部を備えたノックカバーの外観構成を示した斜視図である。
【図５】突起部を切除してノックカバーの装着状態を示した斜視図である。
【図６】ノックカバーと突起部とを連結する連結頸部の一部を破断した状態で示した拡大斜視図である。
【発明を実施するための形態】
【００１４】
この発明にかかるノック式筆記具の一例について、これをシャープペンシルに採用した形態について先に説明し、このシャープペンシルに具備されたノックカバーの詳細な構成について後で説明する。
なお、以下に示す各図においては同一部分を同一符号で示しているが、紙面の都合により一部の図面においては、代表的な部分に符号を付け、その詳細な構成はその他の図面に付した符号を引用して説明する場合もある。
【００１５】
先ず、図１〜図３はシャープペンシルの全体構成を説明するものであり、軸筒を構成する先軸１の先端部には、口金２が螺合されることで、先軸１に対して着脱可能に取り付けられている。そして、前記先軸１および後述する後軸の軸芯に沿って筒状の芯ケース３が収容されており、この芯ケース３の先端部には短軸の芯ケース継手４が取り付けられ、前記芯ケース継手４を介して真ちゅう製のチャック５が連結されている。
【００１６】
前記チャック５内には、その軸芯に沿って図示せぬ筆記芯の通孔が形成され、また先端部が複数に分割されて、分割された先端部は真ちゅうによりリング状に形成された締め具６内に遊嵌されている。またリング状の前記締め具６は前記チャック５の周囲を覆うようにして配置された中継パイプ７の先端部内面に装着されている。
なお、この中継パイプ７の後端部は筆記圧を利用して筆記芯（替え芯）を回転させる後述する回転駆動機構に接続されている。
【００１７】
前記中継パイプ７の前端部には、前記した口金２内に収容されてその前端部が口金２より突出される円筒状のスライダー８が中継パイプ７に対して嵌合されることで着脱可能に取り付けられ、さらにスライダー８の前端部には、筆記芯を案内する先端パイプ９がパイプ保持具１０を介して取り付けられている。
また、前記スライダー８の内周面におけるパイプ保持具１０の直後には、軸芯部分に通孔を形成したゴム製の保持チャック１２が収容されている。
【００１８】
前記した構成により、芯ケース３に続くチャック５内に形成された通孔、および前記保持チャック１２の軸芯に形成された通孔を介して、先端パイプ９に至る直線状の芯挿通孔が形成されており、この直線状の芯挿通孔内に図示せぬ筆記芯が挿通される。そして、前記した中継パイプ７と芯ケース継手４との間には、コイル状のチャックスプリング１３が配置されている。
【００１９】
すなわち、前記チャックスプリング１３は、その前端部が中継パイプ７の内周面に形成された環状の段部に当接し、チャックスプリング１３の後端部は前記芯ケース継手４の前端面に当接した状態で収容されている。したがって、前記チャックスプリング１３の作用により、前記チャック５は中継パイプ７内を後退してその先端部がリング状の締め具６内に収容される方向に、すなわち筆記芯を把持する方向に付勢されている。
【００２０】
軸筒を構成する前記した先軸２には例えばゴムなどの弾性素材により形成されたグリップ部材１４が先軸２を取り巻くようにして装着されている。このグリップ部材１４を先軸２に装着するにあたっては、先に飾りリングとして機能する透明な樹脂素材により形成された透明リング１５が先軸２の先端部側から装着される。
この透明リング１５は、先軸に一体に成形された環状の鍔部１ａによって位置決めされ、続いて前記グリップ部材１４が同方向から先軸２を取り巻くようにして装着される。その後に、前記した口金２が先軸１の前端部に螺合されることで、前記透明リング１５およびグリップ部材１４が軸方向に抜け出ることなく、前記先軸１に取り付けられる。
【００２１】
前記した飾りリングとして機能する透明リング１５は、予め先軸１に巻回されるようにして貼り付けられている加飾シール１６を覆い、このシール１６の周面が視認できるように構成されている。
この加飾シール１６には、金もしくは銀色などの光沢のある印刷が施され、その適宜の位置には印刷が施されない透明部分が形成されている。そして、この透明部分および透明な樹脂素材により成形された前記先軸１を透視して、内部の中継パイプ７の一部が視認できるように構成されている。
これにより、後述する回転駆動機構によって中継パイプ７が回転駆動される様子を、透明リング１５を介して確認することができる。
【００２２】
前記した先軸１の後端部には、軸筒を構成する後軸１８の前端部内面が嵌合されて取り付けられており、この後軸１８の前半部分には図３に示されているように、ユニット化された回転駆動機構２１が収容されている。
この回転駆動機構２１には前記したとおり中継パイプ７の後端部が接続されており、この中継パイプ７は筆記動作に基づく筆記芯の後退および前進動作（クッション動作）を前記チャック５を介して受けて、回転駆動機構２１に伝達させると共に、クッション動作によって生ずる前記回転駆動機構２１による回転運動を、前記中継パイプ７を介して前記チャック５に伝達させるように作用する。
これにより、チャック５に把持された図示せぬ筆記芯は、筆記動作に伴い前記回転駆動機構２１による回転運動を受けることになる。
【００２３】
なお、前記回転駆動機構２１は、その前端部において前記先軸１との間に介在された軸スプリング２２によって後方に付勢されている。また回転駆動機構２１の後端部は前記後軸１８内の縮径により形成された段部１８ａに、前記軸スプリング２２の付勢力により当接している。
すなわち、この実施の形態においては、ユニット化された前記回転駆動機構２１は後軸１８内の段部１８ａに当接することによる摩擦により回動が規制され、前記したクッション動作によって生ずる前記回転駆動機構２１による回転運動を、前記チャック５側に伝達させるように作用する。
【００２４】
前記回転駆動機構２１には円筒状に形成された回転子２４が具備されており、前記した中継パイプ７は、回転駆動機構２１の前端部において、前記回転子２４の内周面に嵌合することで結合されている。
【００２５】
前記回転子２４は、その前端部付近が若干径を太くした太径部になされ、その太径部の一端面（後端面）には第１のカム面２４ａが形成されており、太径部の他端面（前端面）には第２のカム面２４ｂが形成されている。一方、前記回転子２４の後端部側を覆うようにして円筒状の上カム形成部材２５が、前記回転子２４を回動可能に支持するように配置されており、前記上カム形成部材２５の前端部外周には、円筒状の下カム形成部材２６が、上カム形成部材２５に嵌合されて取り付けられている。
【００２６】
そして、前記回転子２４における第１のカム面２４ａに対峙する上カム形成部材２５の前端面に、第１の固定カム面２５ａが形成されている。また、前記回転子２４における第２のカム面２４ｂに対峙する下カム形成部材２６の前端部内面に、第２の固定カム面２６ａが形成されている。
【００２７】
前記した上カム形成部材２５の後端部側には、シリンダー部材２７が上カム形成部材２５に対して嵌め込まれており、このシリンダー部材２７内には円筒状に形成され軸方向に移動可能なトルクキャンセラー２８が配置され、当該トルクキャンセラー２８の内周面前端部と前記シリンダー部材２７の内周面後端部との間にはコイル状のクッションスプリング２９が装着されている。
前記クッションスプリング２９は、トルクキャンセラー２８を前方に付勢するように作用し、この付勢力を受けた前記トルクキャンセラー２８に押されて前記回転子２４は前方に向かうように作用する。
【００２８】
以上のとおり前記した回転駆動機構２１は、その中央部が前記芯ケース３を通す空間部になされて芯ケース３とは隔離されており、回転駆動機構２１は前記した符号２５〜２９で示す各部材によりユニット化されている。
【００２９】
前記した後軸１８の後半部分、すなわち回転駆動機構２１の後部側にはノック棒３１が軸方向に摺動可能に装着されている。このノック棒３１の前端部は環状の楔形突出部３１ａになされており、この楔形突出部３１ａが後軸１８内に形成された環状突起１８ｂを乗り越えて取り付けられている。
そして、環状突起１８ｂとノック棒３１との間にはコイル状のノック棒スプリング３２が配置され、このスプリング３２によって、前記ノック棒３１を後軸１８の後端部側に向けて付勢するように構成されている。
【００３０】
また、ノック棒３１の中央よりも若干後端部寄りには、筆記芯の補給孔３１ｃを備えた当接部３１ｂが形成されており、さらにこのノック棒３１の後端部には、消しゴム３３が着脱可能に装着されると共に、前記消しゴム３３を覆うようにノック操作部として機能するノックカバー３４がノック棒３１の後端部の周面に着脱可能に取り付けられている。
【００３１】
なお、前記ノック棒３１の当接部３１ｂと、前記した芯ケース３の後端部とは所定の間隔をもって対峙した構成にされている。この構成によると、筆記による前記したクッション動作によりチャック５および芯ケース３が若干後退しても、芯ケース３の後端部が前記ノック棒３１の当接部３１ｂに衝突することはなく、前記回転駆動機構２１による回転動作に障害を与えるのを防止することができる。
【００３２】
前記ノック棒３１に対して着脱可能に取り付けられた前記ノックカバー３４には、このノックカバー３４の側壁面に円盤状の突起部３４ａが一体に形成されている。そして、円盤状突起部３４ａの円盤面には、円形状にして中央部が若干凸面状になされ前記ノックカバー３４とは異色の樹脂盛りシール３５が装着されている。
前記後軸１８の後端部における周方向の一部には、軸方向に切欠き溝１８ｃが形成されており、前記ノックカバー３４と円盤状突起部３４ａとを連結する連結頸部が前記切欠き溝１８ｃに沿って移動することで、前記ノックカバー３４のノック操作が可能となるように構成されている。
【００３３】
前記ノックカバー３４に一体に形成された円盤状の突起部３４ａは、前記樹脂盛りシール３５により飾りの機能を果たすと共に、シャープペンシルの転がり止めとしての機能も果たすものとなる。
なお、前記ノックカバー３４と円盤状の突起部３４ａなどを含む詳細な構成については、図４〜図６を用いて後で説明する。
【００３４】
以上のように構成されたシャープペンシルにおける前記した回転駆動機構２１によると、チャック５が筆記芯を把持した状態で、前記回転子２４は中継パイプ７を介してチャック５と共に軸芯を中心にして回転可能になされている。そして、シャープペンシルが筆記状態以外の場合においては、回転駆動機構２１内に配置された前記クッションスプリング２９の作用により、前記トルクキャンセラー２８を介して回転子２４は前方に付勢されている。
【００３５】
一方、シャープペンシルを使用した場合、すなわち先端パイプ９から突出している筆記芯に筆記圧が加わった場合には、前記チャック５は前記クッションスプリング２９の付勢力に抗して後退し、これに伴って回転子２４も軸方向に僅かに後退する。したがって、回転子２４に形成された第１のカム面２４ａは前記第１の固定カム面２５ａに接合して噛み合い状態になされる。
【００３６】
前記第１のカム面２４ａは周方向に沿って連続的に鋸歯状になされており、また前記第１の固定カム面２５ａも周方向に沿って連続的に鋸歯状になされており、そのピッチは互いに同一となるように形成されている。
そして、対峙した状態の第１カム面２４ａと固定カム面２５ａは、軸方向においてカムの一歯に対して半位相（半ピッチ）ずれた関係となるように設定されており、前記したように第１のカム面２４ａが第１の固定カム面２５ａに接合して噛み合い状態になされることによって、回転子２４は第１カム面２４ａの一歯の半位相（半ピッチ）に相当する回転駆動を受ける。
【００３７】
一方、前記第２のカム面２４ｂも周方向に沿って連続的に鋸歯状になされており、また前記第２の固定カム面２６ａも周方向に沿って連続的に鋸歯状になされており、そのピッチは互いに同一となるように形成されている。
そして、前記したように第１のカム面２４ａが第１の固定カム面２５ａに接合して噛み合い状態になされた状態においては、対峙した状態の第２カム面２４ｂと第２の固定カム面２６ａは、軸方向においてカムの一歯に対して半位相（半ピッチ）ずれた関係となるように設定されている。
【００３８】
したがって一画の筆記が終わり、筆記芯に対する筆記圧が解かれた場合には、前記したクッションスプリング２９の作用により回転子２４は軸方向に僅かに前進し、回転子２４に形成された第２カム面２４ｂが、第２の固定カム面２６ａに噛み合う。これにより回転子２４は第２カム面２４ｂの一歯の半位相（半ピッチ）に相当する同方向の回転駆動を再び受ける。
【００３９】
以上のとおり、前記したシャープペンシルによると、筆記圧を受けることによる回転子２４の軸方向への往復運動に伴って、回転子２４は第１カム面２４ａおよび第２カム面２４ｂの一歯（１ピッチ）に相当する回転駆動を受け、前記した中継パイプ７およびチャック５を介してこれに把持された筆記芯も同様に一方向に回転駆動される。
したがって、筆記芯は自身が受ける回転運動と筆記による摩耗とにより、先端部が常に円錐形状になされる。それ故、書き進むにしたがって筆記芯が偏摩耗するのを防止させることができ、安定した線幅による筆記が可能となる。
【００４０】
なお、前記した回転駆動機構２１においては、回転子２４とクッションスプリング２９との間に、トルクキャンセラー２８が介在されている。このトルクキャンセラー２８は前記回転子２４の後端部との間ですべりを発生させて、回転子２６の回転運動がクッションスプリング２９側に伝達されるのを阻止するように作用する。これにより、スプリング２９の捩じれ戻り（バネトルク）が発生することで、回転子２４の回転動作に障害を与えるという問題を解消させることができる。
【００４１】
また、この構成によるシャープペンシルにおいては、ノックカバー３４をノック操作することで、ノック棒の当接部３１ｂが芯ケース３を前方に押し出し、中継パイプ７に取り付けられたスライダー８の一部が口金２内に当接して、その前進が阻まれる。このため、チャック５の先端部が締め具６から相対的に突出してチャック５による筆記芯の把持状態が解除される。そして、前記ノック操作の解除により、チャックスプリング１３の作用により芯ケース３およびチャック５は軸筒内において後退する。
【００４２】
この時、筆記芯は保持チャック１２に形成された通孔内において摩擦により保持されており、この状態でチャック５が後退してその先端部が前記締め具６内に収容されることで、筆記芯を再び把持状態にする。すなわち、ノックカバー３４のノック操作の繰り返しによりチャック５が前後動し、これにより筆記芯の解除と把持が行われ、筆記芯はチャック５から順次前方に繰り出されるように作用する。
【００４３】
図４〜６は、前記したノック操作部として機能するノックカバー３４と、このノックカバー３４に一体に形成された円盤状の突起部３４ａを含む構成を拡大して示したものである。
ノック操作部として機能するノックカバー３４は、図３に基づいてすでに説明したとおり、ノック棒３１の後端部を覆いノック棒３１に対して軸方向に着脱可能に取り付けられて、軸筒（後軸１８）の後端部に突出した状態になされている。
【００４４】
そして、円盤状の突起部３４ａは、図４に示されているように、前記ノックカバー３４および突起部３４ａの幅よりも小さな幅の連結頸部３４ｂを介して一体に樹脂成形されており、前記突起部３４ａは前記ノックカバー３４の後端部（頂端部）よりも軸方向の前端部側に位置するように構成されている。
また、前記突起部３４ａの外向きの面は、軸方向とほぼ平行となるように構成され、その面の外周縁３４ｃを残して中央部に円形状の凹部が形成され、この凹部内に中央部が若干凸面状になされた別部品の樹脂盛りシール３５（図１、図３参照）が、嵌め込まれて装着されている。
【００４５】
また、前記突起部３４ａにおける前記ノックカバー３４に向く面は、前記した連結頸部３４ｂを中央にしてその両側が若干厚みを増して軸芯に沿うように成形されており、これをシャーブペンシルの本体に装着した場合に、円筒状の軸筒（後軸１８）との間で、ほぼ均等な隙間が形成されるように構成されている。
なお、図４に示した符号３４ｅは、ノックカバー３４の頂端部に形成された通気孔を示している。
【００４６】
図５に突起部３４ａを切除して示したように、ノックカバー３４に突起部３４ａを連結する前記した連結頸部３４ｂは、若干軸方向に長い方形状の柱状体により構成されており、ノック操作がなされた時に、後軸１８の後端部から前方に向かって直線状に形成された切欠き溝１８ｃ内に沿って軸方向に移動できるように構成されている。
そして、連結頸部３４ｂにおける切欠き溝１８ｃに対峙する両側の位置には、軸方向に長く突出形成された突出体３４ｄがそれぞれ一体に形成されている。
【００４７】
すなわち、切欠き溝１８ｃ内に位置する前記連結頸部３４ｂには、前記切欠き溝１８ｃに対峙する両側の位置に、切欠き溝の対向する内側面（切欠き溝と同一の符号１８ｃで示す）にそれぞれ向かって突出する突出体３４ｄが形成されている。
この構成により、前記切欠き溝の各内側面１８ｃには、前記連結頸部３４ｂに形成された突出体３４ｄのみが接触するようになされる。
【００４８】
以上のとおり、前記した実施の形態によると、ノック操作部として機能するノックカバー３４には、当該ノックカバーの後端部よりも前方に位置するように突起部３４ａが一体に形成されているので、筆記状態における軸筒の握りの姿勢を大きく変えることなく、前記突起部３４ａを親指等でノック操作することが可能であり、筆記芯の摩耗による芯の繰り出し操作を筆記の能率を落とすことなく円滑に行うことができる。
【００４９】
また、前記した実施の形態によると、軸筒の後端部から前方に向かって直線状に形成された切欠き溝１８ｃ内を、前記ノックカバー３４と前記突起部３４ａとを連結する連結頸部３４ｂが移動可能となるように構成され、さらに前記切欠き溝３４ｂの対向する内側面には、前記連結頸部３４ｂに形成された突出体３４ｄのみが接触するように構成されている。
この構成によると、前記突起部３４ａを軸方向に回すようなノック操作を行っても、前記突出体３４ｄの作用により、突出体３４ｄを除く例えば突起部３４ａの一部が軸筒の一部に接触するのを防止することができる。したがって、前記軸筒１８や突起部３４ａに施した塗装や転写等による表装に損傷を与えるのを防止することができ、永続的に筆記具の外観を保護することに寄与できる。
【００５０】
なお、以上説明した実施の形態においては、ノック棒３１に着脱可能に装着されるノックカバー３４に対して突起部３４ａを一体に形成した例を示しているが、前記ノックカバー３４およびノック棒３１を一部品によりノック操作部として構成する場合もあり、この発明はこのようなノック操作部にも同様に適用することができ、同様の作用効果を得ることができる。
また、以上説明した実施の形態は、ノック操作により筆記芯を順次繰り出すことができるシャープペンシルにこの発明を適用した例を示しているが、この発明にかかるノック式筆記具は、前記したシャープペンシル以外に、ノック操作により軸筒の前端部側より筆記体が繰り出されるその他の筆記具にも採用することができ、同様の作用効果を得ることができる。
【符号の説明】
【００５１】
１      先軸（軸筒）
２      口金
３      芯ケース
５      チャック
６      締め具
７      中継パイプ
８      スライダー
１３    チャックスプリング
１４    グリップ部材
１７    中継パイプ
１８    後軸（軸筒）
１８ｃ  切欠き溝
２１    回転駆動機構
３１    ノック棒
３２    ノック棒スプリング
３４    ノックカバー（ノック操作部）
３４ａ  突起部
３４ｂ  連結頸部
３４ｃ  外周縁
３４ｄ  突出体
３４ｅ  通気孔
３５    樹脂盛りシール
【図１】
0005933960.tif 000002
【図２】
0005933960.tif 000003
【図３】
0005933960.tif 000004
【図４】
0005933960.tif 000005
【図５】
0005933960.tif 000006
【図６】
0005933960.tif 000007